(57)【要約】【課題】固定部材に対しレンズ保持枠の構成部品を増やすことなく連結し、レンズ鏡筒を小型化する。【解決手段】前玉鏡筒１の弾性係止爪１ａを固定鏡筒３のスリットの周囲に設けた凹部３ｃに当てがい、押し込むと、弾性係止爪１ａは引掛部３ｄを乗り越え、切欠部１ｂが引掛部３ｄに係止する。これにより、前玉鏡筒１は固定鏡筒３に対し、光軸方向に連結されると共に、前玉鏡筒１は弾性アーム１ｄにより光軸方向に付勢される。  測定器具を用いて、前玉鏡筒１を倒れ量と方向を測定しながらフランジ部１ｃの必要個所を倒れ調整量分だけ、治具等で光軸方向に押し込み、光軸の倒れ調整を行う。調整後にこれらの間に接着剤を塗布することにより、前玉鏡筒１は固定鏡筒３に接着固定される。【選択図】図３
2008145726.tif 000002
【特許請求の範囲】
【請求項１】
レンズを保持するレンズ保持枠と、該保持枠と光軸方向に連結する固定部材とから成り、前記レンズ保持枠は前記固定部材に連結するための係止爪を有し、前記固定部材は前記係止爪を係止する被係止部と前記係止爪を接着する接着部とを有し、前記レンズ保持枠又は前記固定部材に、前記固定部材と前記レンズ保持枠同士が光軸方向に分離するように付勢する弾性部材とを備えたことを特徴とするレンズ鏡筒。
【請求項２】
前記被係止部は複数設けたことを特徴とする請求項１に記載のレンズ鏡筒。
【請求項３】
前記係止爪は前記固定部材の被係止部の肉厚方向に重なり合うように配置したことを特徴とする請求項１に記載のレンズ鏡筒。
【請求項４】
前記被係止部は前記固定部材の切欠部の周囲に凹溝として設けたことを特徴とする請求項１に記載のレンズ鏡筒。
【請求項５】
前記係止爪は前記固定部材の切欠部を閉塞するように前記凹溝内に配置することを特徴とする請求項４に記載のレンズ鏡筒。
【請求項６】
前記弾性部材は前記レンズ保持枠又は前記固定部材に一体に形成したことを特徴とする請求項１〜５の何れか１項に記載のレンズ鏡筒。
【請求項７】
前記保持枠を前記固定部材に対し倒れ調整を行った後に前記接着部に塗布した接着剤により固定することを特徴とする請求項１に記載のレンズ鏡筒。
【請求項８】
請求項１〜請求項７の何れか１項に記載のレンズ鏡筒を用いたことを特徴とする光学機器。
【発明の詳細な説明】
【技術分野】
【０００１】
本発明は、カメラ等のレンズ保持枠の光軸に対する傾きを補正可能なレンズ鏡筒に関するものである。
【背景技術】
【０００２】
従来のレンズ鏡筒においては、固定部材に対しレンズ保持枠の光軸倒れ調整を要する場合がある。例えば、特許文献１、２のように、固定部材とレンズ保持枠のビス締め用フランジにワッシャの厚さを変えて選択挿入する構造、或いは固定部材外周から偏芯コロを回転調整することで、レンズ保持枠の倒れを調整する構造が知られている。
【０００３】
【特許文献１】特開２００４−１６３８６５号公報
【特許文献２】特許第３４０１４４５号公報
【発明の開示】
【発明が解決しようとする課題】
【０００４】
近年、レンズ鏡筒が搭載される光学機器では、携帯性や収納性を向上させるために、更なる小型化や出っ張りの少ない形態が求められている。当然に、レンズ鏡筒もより小型で部分的な出っ張りの少ないものが必要とされている。
【０００５】
しかし従来の光軸倒れ調整機構では、レンズ保持枠と固定部材の光軸方向のビス締め部分に、ワッシャを介在するために、レンズ鏡筒の径方向にビス締め用フランジを必要とし径方向に大きくなる。また、固定部材の外周から偏芯コロを回転調整することで、レンズ保持枠を傾き調整する構造の場合には、偏芯コロを保持する固定部材の外壁と偏芯コロに当接するレンズ保持枠の壁が重なるため、同様に径方向に大きくなる。
【０００６】
本発明の目的は、上述の課題を解消し、固定部材に対しレンズ保持枠を倒れ調整するための構成部品を増加することなく、係止爪を用いてレンズ鏡筒を小型化するレンズ鏡筒を提供することにある。
【課題を解決するための手段】
【０００７】
上記の目的を達成するための本発明に係るレンズ鏡筒の技術的特徴は、レンズを保持するレンズ保持枠と、該保持枠と光軸方向に連結する固定部材とから成り、前記レンズ保持枠は前記固定部材に連結するための係止爪を有し、前記固定部材は前記係止爪を係止する被係止部と前記係止爪を接着する接着部とを有し、前記レンズ保持枠又は前記固定部材に、前記固定部材と前記レンズ保持枠同士が光軸方向に分離するように付勢する弾性部材とを備えたことにある。
【発明の効果】
【０００８】
本発明に係るレンズ鏡筒によれば、レンズ保持枠と固定部材の倒れ調整連結部の鏡筒外径を大きくすることがない。
【発明を実施するための最良の形態】
【０００９】
本発明を図示の実施例に基づいて詳細に説明する。
図１は凸凹凸凸レンズ群から成る４群構成の変倍光学系を有するレンズ鏡筒の分解斜視図、図２は組立状態の縦断面図である。光軸に沿って順次に、光軸倒れ調整を行う第１レンズ群Ｌ１、光軸方向に移動することにより変倍動作を行う第２レンズ群Ｌ２、固定の第３レンズ群Ｌ３、光軸方向に移動することにより合焦操作を行う第４レンズ群Ｌ４が配列されている。
【００１０】
第１レンズ群Ｌ１は光軸倒れ調整機構を有するレンズ保持枠である前玉鏡筒１に保持され、第２レンズ群Ｌ２は変倍移動枠２に保持され、第３レンズ群Ｌ３は固定鏡筒３に保持されている。また、第４レンズ群Ｌ４は合焦移動枠４に保持され、合焦移動枠４の後方にはＣＣＤ等の撮像素子５を固定するＣＣＤホルダ６が配置されている。固定鏡筒３の外壁の厚さを最小限とされ、ＣＣＤホルダ６は固定鏡筒３に対して３本のビスにより後方からそれぞれ結合されている。
【００１１】
固定鏡筒３の側部に設けられた開口部３ａには、下方向からギロチン式の光量調節装置７が組込まれ、この光量調節装置７は２枚の羽根７ａ、７ｂをメータ７ｃにより逆方向に移動させて、光学系の開口径を変化させるようになっている。
【００１２】
前玉鏡筒１と固定鏡筒３によりガイドバー８、９の両端が保持され、固定部材としての固定鏡筒３とＣＣＤホルダ６により、ガイドバー１０、１１の両端が保持されている。変倍移動枠２はガイドバー８、９に沿って、合焦移動枠４はガイドバー１０、１１に沿って光軸方向に移動可能に支持されている。変倍移動枠２及び合焦移動枠４は、それぞれガイドバー９及び１０に対して光軸方向に特定の長さを有するスリーブ部２ａ及び４ａを用いて嵌合されている。そのため、光軸方向への倒れが防止されると共に、他方のガイドバー８及び１１にＵ溝部で係合することにより、ガイドバー９及び１０を中心とする回転が防止されている。
【００１３】
固定鏡筒３に補強板を介してビスにより固定されたズームリセットスイッチ１２、フォーカスリセットスイッチ１３はフォトインタラプタとされている。このフォトインタラプタは変倍移動枠２及び合焦移動枠４にそれぞれ形成された遮光部２ｂ、４ｂの光軸方向への移動による遮光／透光状態の切換わりを電気的に検出し、第２レンズ群Ｌ２及び第４レンズ群Ｌ４の基準位置を検出する。
【００１４】
ステッピングモータから成るズームモータ１４、フォーカスモータ１５は、固定部材としての固定鏡筒３に組込まれ、それぞれ第２レンズ群Ｌ２の光軸方向に移動による変倍動作、第４レンズ群Ｌ４の光軸方向の移動による合焦動作を行う。モータ１４、１５はそれぞれ２本ずつのビス１６、１７と、１個所の図示しない引掛部により固定鏡筒３に固定されている。変倍移動枠２、合焦移動枠４に設けられたラック１８、１９は、モータ１４、１５による被送り部材として使用されている。同様に、変倍移動枠２、合焦移動枠４に設けられたコイルばね２０、２１は、ラック１８、１９にかけられ、モータ１４、１５の送りねじとの噛合部を挟み込み、がたをなくして噛み合うようにされている。
【００１５】
図３の斜視図にも示すように、前玉鏡筒１には弾性部材として３本の弾性係止爪１ａが後方に向けて突出されている。この弾性係止爪１ａは切欠部１ｂを有し、固定鏡筒３に引っ掛けて前玉鏡筒１を固定し、前玉鏡筒１の倒れ調整後に、固定鏡筒３の被係止部に接着固定されるようになっている。前玉鏡筒１はフランジ部１ｃを有し、固定鏡筒３に対し光軸方向に押圧する弾性力を持つ弾性アーム１ｄがフランジ部１ｃの３個所に設けられている。
【００１６】
固定鏡筒３の外壁の一部には、弾性係止爪１ａに対応してスリット３ｂが形成され、スリット３ｂの周囲には弾性係止爪１ａの幅にほぼ合致し、弾性係止爪１ａの厚みに相当する凹部３ｃが設けられている。
【００１７】
前玉鏡筒１を固定鏡筒３に連結するには、前玉鏡筒１の弾性係止爪１ａを固定鏡筒３のスリット３ｂの周囲に設けた凹部３ｃに当てがい、押し込むと、弾性係止爪１ａは引掛部３ｄを乗り越え、切欠部１ｂが引掛部３ｄに係止する。弾性係止爪１ａは凹部３ｃ内に入り込むことで、固定鏡筒３の厚さ方向の外側にはみ出すことはない。弾性係止爪１ａの両側部には切欠部１ｂが設けられ、この切欠部１ｂに凹部３ｃ内に設けられた引掛部３ｄが嵌まり込むことにより、前玉鏡筒１の固定鏡筒３に対する光軸方向への抜け止めがなされる。このように、前玉鏡筒１は固定鏡筒３に対し、光軸及び周囲方向に連結されると共に、前玉鏡筒１は弾性アーム１ｄにより光軸方向に離れるように付勢される。
【００１８】
更に、図示しない測定器具を用いて、前玉鏡筒１を倒れ量と方向を測定しながら、フランジ部１ｃの必要個所を倒れ調整量分だけ治具等で光軸方向に押し込み、光軸の倒れ調整を行う。前玉鏡筒１の弾性係止爪１ａの切欠部１ｂと固定鏡筒３の引掛部３ｄ間には、光軸方向の動きを許容する若干の余裕があり、調整後にこれらの間を接着部として、接着剤を塗布することにより前玉鏡筒１は固定鏡筒３に固定される。
【００１９】
このように、固定鏡筒３に対し前玉鏡筒１であるレンズ保持枠を倒し補正するための構成部品を増加することなく、レンズ鏡筒の径方向のビス締めフランジや偏芯コロ構造をなくすことで、光軸の傾き補正機構を有するレンズ鏡筒を小型化ができる。また、このレンズ鏡筒を用いると、光学機器を小型化できる。
【００２０】
本発明は、例えば３５ｍｍフィルム用の写真カメラやデジタルスチルカメラやビデオカメラ等に用いられているレンズ鏡筒や光学機器に適用することができる。
【図面の簡単な説明】
【００２１】
【図１】実施例のレンズ鏡筒の分解斜視図である。
【図２】組立状態の縦断面図である。
【図３】レンズ鏡筒の斜視図である。
【符号の説明】
【００２２】
１  前玉鏡筒
１ａ  弾性係止爪
１ｂ  切欠部
１ｃ  フランジ部
１ｄ  弾性アーム
２  変倍移動枠
３  固定鏡筒
３ｂ  スリット
３ｃ  凹部
３ｄ  引掛部
４  合焦移動枠
５  撮像素子
６  ＣＣＤホルダ
７  光量調節装置
１４  ズームモータ
１５  フォーカスモータ
Ｌ１  第１レンズ群
Ｌ２  第２レンズ群
Ｌ３  第３レンズ群
Ｌ４  第４レンズ群
【図１】
2008145726.tif 000003
【図２】
2008145726.tif 000004
【図３】
2008145726.tif 000005